(57)【要約】      （修正有）【課題】揺動運動と上下動き機能とを兼ね備えるフィットネス装置を提供する。【解決手段】ベース１０と、ギヤ組を伝動するモータ２３を有し、ベース１０上に乗せる伝動装置２０と、２つの円盤３１と、一つのクロスバー３２と、揺動台３３とを有し、クロスバー３２の両端はそれぞれボールスタッドに枢接し、２つのボールスタッドは偏って２つの円盤３１に挿設し、ギヤ組末端部２つのギヤの上面と２つの円盤３１の底面は波状の凹凸部を設けていて、かつ互いに貼り合わせており、２つの円盤３１は軸棒の制限を受け、昇降運動にとどまり、クロスバー３２は揺動台３３の底面に固定する一組の運動装置３０と、を備える。これにより、使用者の臀部または大腿部を揺動台３３に乗せ、伝動装置２０はギヤの回転を駆動し、波状の凹凸部をもって揺動台３３を上下に昇降と左右に揺動の効果を有する。【選択図】図１
0003180660.tif 000002
【実用新案登録請求の範囲】
【請求項１】
揺動運動と上下動き機能とを兼ね備えるフィットネス装置であって、
ベースと、
前記ベースに乗せ、ハウジンブに複数の軸棒を内設し、前記ハウジンブはギヤ組を伝送するモータを内設する伝動装置と、
２つの円盤と、一つのクロスバーと、揺動台とを有し、前記クロスバーの両端はそれぞれ第１、第２ボールスタッドに枢接し、前記第１、前記第２ボールスタッドは偏って２つの前記円盤に挿設し、前記ギヤ組末端部に備える２つのギヤの上面と、２つの前記円盤の底面は波状の凹凸部を設け相互に貼り合わせて置き、２つの前記円盤が２つの前記軸棒の制限を受け昇降運動にとどまり、前記クロスバーは前記揺動台の底面に取り付ける一組の運動装置と、を備え、
使用者の背中部、臀部または大腿部を揺動台上に置き、前記伝動装置によって、前記ギヤ組の回転を駆動すると共に、波状の凹凸部をもって前記運動装置の前記揺動台を駆動して、上下昇降及び左右揺動の効果を発生する。
【請求項２】
前記ベースと、前記揺動台との間は上蓋を設け、前記上蓋を前記ベースの上面に締め付け、前記上蓋の上面は複数の弧状凹部を設け、各前記弧状凹部はそれぞれ一つのローラーを収容し、複数の前記ローラーは左右に揺動する前記揺動台の底面を支えることを特徴とする、請求項１記載の揺動運動と上下動き機能とを兼ね備えるフィットネス装置。
【請求項３】
前記クロスバーに備える直棒部の両端が前記第１、前記第２ボールスタッドに対応する位置はそれぞれ第１ボール室と、楕円ボール室とを設け、前記第１ボール室は前記第１ボールスタッドを収容かつ制限し、前記楕円ボール室は前記第２ボールスタッドを収容かつ制限することによって、前記第２ボールスタッドは前記楕円ボール室にて、所定距離の移動遊びを有することを特徴とする、請求項１記載の揺動運動と上下動き機能とを兼ね備えるフィットネス装置。
【請求項４】
前記クロスバーに備える横棒部の両端は、それぞれ第３、第４ボール室を設け、前記第３、前記第４ボール室は前記第１、前記第２ボールを収容かつ制限することによって、前記第１、前記第２ボールを下方に突き出し、転がって前記ハウジンブの上面に支えることを特徴とする、請求項３記載の揺動運動と上下動き機能とを兼ね備えるフィットネス装置。
【請求項５】
前記ハウジンブに備える前記軸棒にてピンを設け、前記円盤は前記軸棒の前記ピンに対応して下方が開放状の切り取り溝を設け、前記円盤は前記切り取り溝によって前記ピン位置に引っ掛けてられ、前記円盤は前記ピンの制限を受け、回転できないように上下移動されることを特徴とする、請求項１記載の揺動運動と上下動き機能とを兼ね備えるフィットネス装置。
【考案の詳細な説明】
【技術分野】
【０００１】
本考案はフィットネス装置に関し、特に薄く仕上げられ、複数を床板及び使用者体の背中部、大腿部、臀部などの下部に敷くことによって、安全な上下昇降及び左右揺動運動を通じてフィットネス運動できる、揺動運動と上下動き機能とを兼ね備えるフィットネス装置に関する。
【背景技術】
【０００２】
運動のパターンは多く存在しているが、そのほとんどはツイスト運動、旋回運動と、アーチ運動から派生したものである。さらに、運動のうち横臥姿勢の運動がもっとも快適である。早期の大腿部運動を目的とする揺動マシンは揺動機器を床板に取り付けた後、体を床板に横臥して、大腿部を揺動機器に置き、揺動機器を介して両足を左右に揺動することによって、腰部以下が左右に揺動運動し快適感が得られるほか、運動の目的を達成できる。
【考案の概要】
【考案が解決しようとする課題】
【０００３】
しかし、この種の揺動機器の体積が大きく、かつ高いため、背中または臀部の下方に取り付けることはできな。さらに、揺動運動は単純な左右揺動にすぎず、実用性を大きく低減し、次第に愛用されなくなった。
【０００４】
前記公知技術に存在する問題点について、より理想、かつ実用的の斬新機構を開発することが、消費者の望むことであり、業者の研究開発の目標と方向である。
【課題を解決するための手段】
【０００５】
本考案の目的は、薄く仕上げることによって、複数を床板及び使用者体の背中部、大腿部、臀部などに下敷きすることで、安全な上下昇降及び左右揺動運動を通じてフィットネス運動ができる、揺動運動と上下動き機能とを兼ね備えるフィットネス装置を提供する。
【図面の簡単な説明】
【０００６】
【図１】本考案の一実施例の立体分解図である。
【図２】本考案の一実施例の下面の立体分解図である。
【図３】本考案の一実施例の立体態様図である。
【図４】本考案の一実施例の組立断面図である。
【図５】本考案のギヤと円盤との組み合わせ関係を示す立体分解図である。
【図６】本考案のギヤと円盤との組み合わせ関係を示す下面の立体分解図である。
【図７】本考案のクロスバーの立体分解図である。
【図８】本考案を背中部、臀部、大腿部に適用した状態を示す図である。
【図９】本考案による上下昇降と左右揺動動作を示す図である。
【０００７】
以下、図面を参照しながら、本考案の特徴や技術内容について、詳しく説明するが、それらの図面等は、参考や説明のためであり、本考案は、それによって制限されることが無い。
【考案を実施するための形態】
【実施例】
【０００８】
図1乃至図9を参照する。本考案は揺動運動と上下動き機能とを兼ね備えるフィットネス装置に関する。そのうち、揺動運動フィットネス装置１は、
【０００９】
ベース１０と、
【００１０】
ベース１０上に乗せ、複数の軸棒２２を内設するハウジング２１を含み、前記ハウジング２１にギヤ組２４を伝動するモータ２３を内設する伝動装置２０と、
【００１１】
２つの円盤３１と、一つのクロスバー３２と、揺動台３３とを有し、クロスバー３２の両端はそれぞれ第１、第２ボールスタッド３４、３５に枢接し、第１、第２ボールスタッド３４、３５は偏って２つの円盤３１に挿設し、ギヤ組２４の末端部に備える２つのギヤ２４１の上面及び２つの円盤３１の底面は波状の凹凸部２４１１、３１１を設け、かつ相互に貼り合わせて置き、２つの円盤３１は２つの軸棒２２の制限を受けることによって、昇降運動にとどまり、クロスバー３２を揺動台３３の底面に取り付ける一組の運動装置３０と、を備える。これにより、使用者の背中部、臀部または大腿部を揺動台３３の上に置き、伝動装置２０によって、ギヤ組２４の回転を駆動すると共に、波状の凹凸部２４１１をもって運動装置３０の揺動台３３を駆動し上下昇降及び左右揺動の効果を発生する。
【００１２】
そのうち、揺動運動フィットネス装置１のベース１０と揺動台３３との間は上蓋４０を設け、上蓋４０はベース１０の上面に締め付けられ、上蓋４０の上面は複数の弧状凹部４１を設け、各弧状凹部４１はそれぞれ一つのローラー４２を収容し、ローラー４２は左右に揺動する揺動台３３の底面を支える。
【００１３】
さらに、揺動運動フィットネス装置１のクロスバー３２に備える直棒部３２１の両端が第１、第２ボールスタッド３４、３５に対応する位置は、それぞれ第１ボール室３２２と、楕円ボール室３２３とを設け、第１ボール室３２２は第１ボールスタッド３４を収容かつ制限し、かつ楕円ボール室３２３は第２ボールスタッド３５を収容かつ制限することによって、第２ボールスタッド３５は楕円ボール室３２３にて所定距離の移動遊びを有する。
【００１４】
引き続き、揺動運動フィットネス装置１のクロスバー３２に備える横棒部３２８の両端はそれぞれ第３、第４ボール室３２４、３２５を設け、第３、第４ボール室３２４、３２５は第１、第２ボール３２６、３２７を収容かつ制限することによって、第１、第２ボール３２６、３２７を下方に突き出し、転がってハウジンブ２１の上面に当てる。
【００１５】
なお、揺動運動フィットネス装置１のハウジンブ２１に備える軸棒２２にてピン２２１を設けられ、円盤３１は軸棒２２のピン２２１に対応して下方が開放状の切り取り溝３１２を設け、円盤３１は切り取り溝３１２によって、ピン２２１の位置に引っ掛けてられ、円盤３１はピン２２１の制限を受け、回転できないように上下移動される。
【００１６】
以上の組み合わせにより、揺動運動フィットネス装置を体の臀部または大腿部の下方に取り付け、揺動運動フィットネス装置のモータ２３を作動させ、モータ２３はギヤ組２４及び末端部のギヤ２４１を駆動回転し、ギヤ２４１と円盤３１は波状の凹凸部２４１１、３１１によって互いに貼り合わせており、ギヤ２４１が回転し円盤３１はピン２２１の制限を受け上下のみの動作によって、円盤３１が上下昇降の動作を発生し、これをクロスバー３２と、揺動台３３に伝えたとき、上下昇降及び左右揺動の運動効果を有する。
【００１７】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【符号の説明】
【００１８】
１       揺動運動フィットネス装置
１０     ベース
２０     伝動装置
２１     ハウジング
２２     シャフト
２２１   ピン
２３     モータ
２４     ギヤ組
２４１   ギヤ
２４１１ 波状の凹凸
３０     運動装置
３１     円盤
３１１   波状の凹凸
３１２   切り取り溝
３２     クロスバー
３２１   直棒部
３２２   第１ボール室
３２３   楕円ボ―ル室
３２４   第３ボール室
３２５   第４ボール室
３２６   第１ボール
３２７   第２ボール
３２８   横棒部
３３     揺動台
３４     第１ボールスタッド
３５     第２ボールスタッド
４０     上蓋
４１     弧状凹部
４２     ローラー
【図１】
0003180660.tif 000003
【図２】
0003180660.tif 000004
【図３】
0003180660.tif 000005
【図４】
0003180660.tif 000006
【図５】
0003180660.tif 000007
【図６】
0003180660.tif 000008
【図７】
0003180660.tif 000009
【図８】
0003180660.tif 000010
【図９】
0003180660.tif 000011